(57)【特許請求の範囲】
【請求項１】
ユーザによる歌唱が複数の評価項目ごとに評価された評価結果を表す歌唱評価情報と、歌唱された楽曲を識別する楽曲識別情報と、前記ユーザを識別するユーザ識別情報とを対応付けて記憶する記憶手段と、
演奏対象として指定された楽曲の楽曲識別情報、及び、グループで参加者としてログインしているユーザのユーザ識別情報に対応する歌唱評価情報を、前記記憶手段から取得する取得手段と、
前記演奏対象の楽曲を演奏する演奏手段と、
前記演奏手段により演奏された楽曲に合わせて歌唱者により行われた歌唱を、前記複数の評価項目ごとに評価する評価手段と、
前記評価手段の評価によって得られた歌唱者の評価結果と、前記取得手段により取得された前記歌唱者以外の他のユーザの評価結果との優劣を、対応する評価項目ごとに比較する比較手段と、
前記比較手段による比較の結果に基づき、前記歌唱者の評価結果が優れる評価項目については、当該評価項目に関する前記歌唱者の評価結果と前記他のユーザの評価結果とを比較可能な態様で所定の表示手段に表示させる一方、前記歌唱者の評価結果が劣る評価項目については、当該評価項目に関する前記歌唱者の評価結果と前記他のユーザの評価結果とを共に表示させない表示制御手段と、
を備えることを特徴とするカラオケシステム。
【請求項２】
請求項１に記載のカラオケシステムにおいて、
前記表示制御手段は、前記比較手段による比較の結果、全ての評価項目について前記歌唱者の評価結果が劣る場合、各評価項目に関する前記歌唱者の評価結果を前記表示手段に表示させ、前記他のユーザの評価結果については表示させないこと、
を特徴とするカラオケシステム。
【請求項３】
請求項１又は請求項２に記載のカラオケシステムにおいて、
前記表示制御手段は、前記複数の評価項目に関する前記歌唱者の評価結果と前記他のユーザの評価項目とを、評価項目ごとに所定の順序で並べて表示させるものであって、一部の評価項目に関する評価結果を表示させない場合、その表示させない評価項目に対応する空いたスペースに、後の並び順の評価項目に関する評価結果を詰めて表示させること、
を特徴とするカラオケシステム。
【請求項４】
ユーザによる歌唱が複数の評価項目ごとに評価された評価結果を表す歌唱評価情報と、歌唱された楽曲を識別する楽曲識別情報と、前記ユーザを識別するユーザ識別情報とを対応付けて記憶する記憶手段から、演奏対象として指定された楽曲の楽曲識別情報、及び、グループで参加者としてログインしているユーザのユーザ識別情報に対応する歌唱評価情報を取得する取得手段と、
前記演奏対象の楽曲を演奏する演奏手段と、
前記演奏手段により演奏された楽曲に合わせて歌唱者により行われた歌唱を、前記複数の評価項目ごとに評価する評価手段と、
前記評価手段の評価によって得られた歌唱者の評価結果と、前記取得手段により取得された前記歌唱者以外の他のユーザの評価結果との優劣を、対応する評価項目ごとに比較する比較手段と、
前記比較手段による比較の結果に基づき、前記歌唱者の評価結果が優れる評価項目については、当該評価項目に関する前記歌唱者の評価結果と前記他のユーザの評価結果とを比較可能な態様で所定の表示手段に表示させる一方、前記歌唱者の評価結果が劣る評価項目については、当該評価項目に関する前記歌唱者の評価結果と前記他のユーザの評価結果とを共に表示させない表示制御手段と、
を備えることを特徴とするカラオケ装置。
【請求項５】
ユーザによる歌唱が複数の評価項目ごとに評価された評価結果を表す歌唱評価情報と、歌唱された楽曲を識別する楽曲識別情報と、前記ユーザを識別するユーザ識別情報とを対応付けて記憶する記憶手段から、演奏対象として指定された楽曲の楽曲識別情報、及び、グループで参加者としてログインしているユーザのユーザ識別情報に対応する歌唱評価情報を取得する取得手順と、
前記演奏対象の楽曲を演奏する演奏手順と、
前記演奏手順において演奏された楽曲に合わせて歌唱者により行われた歌唱を、前記複数の評価項目ごとに評価する評価手順と、
前記評価手順において得られた歌唱者の評価結果と、前記取得手順において取得された前記歌唱者以外の他のユーザの評価結果との優劣を、対応する評価項目ごとに比較する比較手順と、
前記比較手順における比較の結果に基づき、前記歌唱者の評価結果が優れる評価項目については、当該評価項目に関する前記歌唱者の評価結果と前記他のユーザの評価結果とを比較可能な態様で所定の表示手段に表示させる一方、前記歌唱者の評価結果が劣る評価項目については、当該評価項目に関する前記歌唱者の評価結果と前記他のユーザの評価結果とを共に表示させない表示制御手順と、
をコンピュータに実行させることを特徴とするプログラム。
【発明の詳細な説明】
【技術分野】
【０００１】
本発明は、カラオケにおける歌唱の評価結果を表示する機能を有するカラオケシステムに関する。
【背景技術】
【０００２】
特許文献１には、歌唱練習を行うに際し、自身の歌唱の評価結果と、他人の歌唱の評価結果とを比較可能な態様にて表示するする機能を有するカラオケ装置が記載されている。
【先行技術文献】
【特許文献】
【０００３】
【特許文献１】特開２０１０−６０６３０号公報
【発明の概要】
【発明が解決しようとする課題】
【０００４】
グループでカラオケに参加している場合、歌唱に自信がない参加者にとっては、自身の歌唱の評価結果と他人の歌唱の評価結果とが比較可能な態様で表示されることで、自身の歌唱の評価結果が低いことを他の参加者に見られるのが恥ずかしいという問題がある。特に同じグループの他の参加者の評価結果と比較された場合には、この問題は顕著である。しかしながら、自身の低い評価結果を他人に見られることが恥ずかしい反面、評価がよい部分については積極的に見たい欲求があるとも考えられる。また、たとえ他の参加者が一緒にいる状況であっても、自身の歌唱の評価結果を正確に確認したいという要望があるとも考えられる。
【０００５】
本発明は、上記問題を解決するためになされたものである。本発明の目的は、歌唱の巧拙に関する歌唱者の感情に配慮した態様で、歌唱の評価結果を表示するための技術を提供することである。
【課題を解決するための手段】
【０００６】
本発明のカラオケシステムは、記憶手段と、取得手段と、演奏手段と、評価手段と、比較手段と、表示制御手段とを備える。記憶手段は、ユーザによる歌唱が複数の評価項目ごとに評価された評価結果を表す歌唱評価情報と、歌唱された楽曲を識別する楽曲識別情報と、ユーザを識別するユーザ識別情報とを対応付けて記憶する。取得手段は、演奏対象として指定された楽曲の楽曲識別情報、及び、グループで参加者としてログインしているユーザのユーザ識別情報に対応する歌唱評価情報を、記憶手段から取得する。
【０００７】
演奏手段は、演奏対象の楽曲を演奏する。評価手段は、演奏手段により演奏された楽曲に合わせて歌唱者により行われた歌唱を、複数の評価項目ごとに評価する。比較手段は、評価手段の評価によって得られた歌唱者の評価結果と、取得手段により取得された歌唱者以外の他のユーザの評価結果との優劣を、対応する評価項目ごとに比較する。
【０００８】
表示制御手段は、比較手段による比較の結果に基づき、歌唱者の評価結果が優れる評価項目については、当該評価項目に関する歌唱者の評価結果と他のユーザの評価結果とを比較可能な態様で所定の表示手段に表示させる。一方、表示制御手段は、歌唱者の評価結果が劣る評価項目については、当該評価項目に関する歌唱者の評価結果と他のユーザの評価結果とを共に表示させない。
【０００９】
本発明によれば、歌唱者による歌唱の評価結果が他の参加者の歌唱の評価結果よりも優れる評価項目については、歌唱者の評価結果と他の参加者の評価結果とを一緒に表示できる。一方、歌唱者による歌唱の評価結果が、他の参加者の歌唱の評価結果よりも劣る評価項目については、歌唱者及び他の参加者の何れの評価結果も表示させない。このようにすることで、歌唱者の評価結果が他の参加者の評価結果よりも低く表示される状態を他の参加者に見られることがなく、歌唱者が恥ずかしい思いをしなくて済むように配慮した表示を実現できる。
【００１０】
もし、全ての評価項目について歌唱者の評価結果が他の参加者より下回ってしまった場合の対処として、請求項２に記載のように構成するとよい。すなわち、表示制御手段は、比較手段による比較の結果、全ての評価項目について前記歌唱者の評価結果が劣る場合、各評価項目に関する歌唱者の評価結果だけを表示手段に表示させ、他の参加者の評価結果については表示させない。このようにすることで、歌唱者の評価結果が他の参加者の評価結果よりも低いことを他の参加者に見られないようにしつつも、歌唱者が自身の評価結果を確認することができる。
【００１１】
ところで、複数の評価項目のうちの一部の評価項目に対応する評価結果を表示させない場合、その評価結果が表示から抜かれていることがあからさまに分かってしまうと、歌唱者の評価結果が劣っていたことが他の参加者に察知されてしまうおそれがある。そこで、請求項３に記載のように構成するとよい。すなわち、表示制御手段は、複数の評価項目に関する歌唱者の評価結果と他のユーザの評価項目とを、評価項目ごとに所定の順序で並べて表示させることを前提とする。そして、表示制御手段は、一部の評価項目に関する評価結果を表示させない場合、その表示させない評価項目に対応する空いたスペースに、後の並び順の評価項目に関する評価結果を詰めて表示させる。
【００１２】
このようにすることで、複数の評価項目のうちの一部の評価項目に対応する評価結果を表示させない場合であっても、表示されない評価項目に対応するスペースが空いたままにならない。このため、一部の評価項目の表示が抜かれていることに気付かれないようにできる。
【００１３】
なお、本発明は、請求項４に記載のように、ユーザの歌唱評価情報を記憶する記憶手段を備えるサーバ装置と通信するカラオケ装置として実現することもできる。請求項４の記載のカラオケ装置によれば、請求項１に記載のカラオケシステムと同様の効果を奏する。また、本発明は、請求項５に記載のように、コンピュータにおいて実行されるプログラム、あるいは当該プログラムを記憶する記憶媒体として実現することもできる。
【図面の簡単な説明】
【００１４】
【図１】カラオケシステム１の概略構成を表すブロック図。
【図２】採点結果表示処理の手順を表すフローチャート。
【図３】採点結果の表示例を表す説明図。
【発明を実施するための形態】
【００１５】
以下、本発明の実施形態を図面に基づいて説明する。なお、本発明は下記の実施形態に限定されるものではなく様々な態様にて実施することが可能である。
［カラオケシステムの構成の説明］
図１に示すように、実施形態のカラオケシステム１は、それぞれネットワーク１００（例えば、インターネット）を介して通信可能に接続されたカラオケ装置１０と、管理サーバ２０とを有する。なお、図１では、カラオケ装置１０を１つだけ記載しているが、複数のカラオケ装置１０がネットワーク１００に接続されていてもよい。
【００１６】
カラオケ装置１０は、制御部１１、通信インタフェース部１２、記憶部１３、操作部１４、音声入出力部１５等を備える。このカラオケ装置１０は、ユーザからリクエストされたカラオケ楽曲を演奏する機能や、ユーザの歌唱を複数の評価項目ごとに評価し、その採点結果を表示する採点機能を有する。
【００１７】
制御部１１は、ＣＰＵ、ＲＡＭ、ＲＯＭ等を備え、各種プログラムを実行することにより、カラオケ装置１０の動作を制御する。通信インタフェース部１２は、カラオケ装置１０をネットワーク１００に接続して、ネットワーク１００を介した通信を行う。この通信インタフェース部１２は、無線通信を介してネットワーク１００に接続するものであってもよいし、有線によりネットワーク１００に接続するものであってもよい。カラオケ装置１０は、ネットワーク１００を介して、管理サーバ２０と通信する。
【００１８】
記憶部１３は、例えばハードディスクドライブや不揮発性半導体メモリ等からなる記憶装置である。記憶部１３には、カラオケ楽曲を演奏するための楽曲データが多数登録されたカラオケデータベースや、カラオケ装置１０の動作を制御するためのプログラムが記憶される。カラオケデータベースには、楽曲データとして、伴奏を表す演奏データ、歌唱パートの基準メロディを表す歌唱基準データ、歌詞テロップを表示するための歌詞データが曲ごとに登録されている。
【００１９】
カラオケデータベースに登録されている演奏データ及び歌唱基準データは、例えばＭＩＤＩ（Music Instrument Digital Interface）データで構成されているものとする。歌唱基準データは、演奏データに従ってカラオケ装置１０から出力される伴奏音に沿って、歌唱されるべき音高を表すデータである。具体的には、歌唱基準データは、歌唱されるべき音高と、その音高を歌唱するタイミングとが対応付けられたデータである。
【００２０】
操作部１４は、ユーザからの操作を入力するための入力装置である。操作部１４は、例えば、カラオケ装置１０本体に備えられたタッチパネルやキー・スイッチ等から構成される。音声入出力部１５は、マイク１７からの音声の入力と、スピーカ１８からの音声の出力を制御する。
【００２１】
また、カラオケ装置１０は、複数のユーザがログイン可能な機能を有する。カラオケ装置１０は、ユーザから操作部１４を介して入力されたユーザの識別情報（ユーザＩＤ）及びパスワードに対する所定の認証処理を行う。なお、ユーザがログイン可能な機能は、カラオケ装置１０と通信可能なリモコン装置（不図示）に備えられてもよい。この場合、リモコン装置の制御部が、リモコン装置の操作部を介して入力されたユーザＩＤ及びパスワードに対する所定の認証処理を行う。あるいは、認証処理は、管理サーバ２０により実行されてもよい。この場合、カラオケ装置１０の操作部１４又はリモコン装置の操作部を介して入力されたユーザＩＤ及びパスワードは、管理サーバ２０へ送信される。そして、受信したユーザＩＤ及びパスワードに基づいて、管理サーバ２０が認証処理を行う。この場合、認証結果が、管理サーバ２０からカラオケ装置１０又はリモコン装置に送信される。
【００２２】
認証が成立した場合、カラオケ装置１０は、認証されたユーザＩＤをログインユーザとして登録する。このログインが成立することで、カラオケ装置１０は、カラオケの演奏や歌唱の採点等のカラオケサービスを、ログインユーザのユーザＩＤに対応付けて実行する。また、カラオケ装置１０は、複数の参加者で構成されるグループについて、複数の参加者それぞれに対するログイン処理を並行して実行できるようになっている。なお、カラオケ装置１０のその他の機能や構成については公知技術に従っているので、ここでは詳細な説明を省略する。
【００２３】
管理サーバ２０は、制御部２１、通信インタフェース部２２、記憶部２３を備える。この管理サーバ２０は、カラオケ装置１０から取得した歌唱の採点結果のデータを収集し、収集したデータに基づく情報提供を行う機能を有する。制御部２１は、ＣＰＵ、ＲＡＭ、ＲＯＭ等を備え、各種プログラムを実行することにより、管理サーバ２０の動作を制御する。通信インタフェース部２２は、管理サーバ２０をネットワーク１００に接続して、ネットワーク１００を介した通信を行う。管理サーバ２０は、ネットワーク１００を介してカラオケ装置１０と通信する。
【００２４】
記憶部２３は、例えばハードディスクドライブ等の記憶装置である。記憶部２３には、管理サーバ２０の動作を制御するためのプログラムや、プログラムの実行時に使用されるデータ等が記憶される。また、記憶部２３には、採点データベースが設けられている。採点データベースには、ネットワーク１００を愛してカラオケ装置１０からアップロードされた複数の採点結果のデータが蓄積されている。採点結果のデータは、カラオケ装置１０が備える分析採点機能によって、ユーザによる歌唱の巧拙度合が精密に分析された分析結果を表す情報である。採点結果のデータには、ユーザによる歌唱を、例えば、「リズム」、「音程」、「テクニック」、「安定感」、「熱唱度」といった複数の評価項目それぞれについて評価した結果を数値化した情報が含まれる。なお、カラオケにおける分析採点の方法は周知の技術につき、詳しい説明については省略する。
【００２５】
カラオケ装置１０は、カラオケ演奏時に入力された歌唱音声を複数の評価項目ごとに分析して評価した採点結果のデータを、楽曲の識別情報（楽曲ＩＤ）及びユーザＩＤと対応付けて管理サーバ２０にアップロードする。管理サーバ２０は、カラオケ装置１０から受信した歌唱の採点結果を、楽曲ＩＤ及びユーザＩＤと対応付けて採点データベースに登録する。これにより、多くの歌唱者の採点結果のデータが管理サーバ２０に蓄積される。
【００２６】
管理サーバ２０は、カラオケ装置１０から採点データの取得要求を受付けると、その取得要求において指定された楽曲ＩＤ及びユーザＩＤに該当する採点データを採点データベースから読出し、要求元のカラオケ装置１０に送信する。
【００２７】
［採点結果表示処理の説明］
カラオケ装置１０の制御部１１が実行する採点結果表示処理の手順について、図２のフローチャートを参照しながら説明する。この処理は、カラオケ装置１０にログインしているユーザからリクエストされた楽曲の演奏処理が制御部１１により実行される度に実行される。
【００２８】
Ｓ１００では、制御部１１は、演奏処理による楽曲の演奏に合わせて歌唱者により入力された歌唱音声に対して、分析採点を行う。具体的には、制御部１１は、歌唱音声を、「リズム」、「音程」、「テクニック」、「安定感」、「熱唱度」の各評価項目それぞれについて評価し、それぞれの評価結果を点数化した採点結果を得る。
【００２９】
Ｓ１０２では、制御部１１は、Ｓ１００で得られた歌唱者の採点結果と、演奏された楽曲の楽曲ＩＤと、歌唱者のユーザＩＤとを対応付けて、管理サーバ２０にアップロードする。管理サーバ２０は、カラオケ装置１０から受信した採点結果のデータを、楽曲ＩＤ及びユーザＩＤと対応付けて採点データベースに保存する。
【００３０】
Ｓ１０４では、制御部１１は、Ｓ１００の分析採点に係る楽曲について、現在ログインしている歌唱者以外の他の参加者が同一の楽曲を歌唱したときの採点結果が、管理サーバ２０に保存されているか否かを判定する。具体的には、制御部１１は、演奏された楽曲の楽曲ＩＤと他の参加者のユーザＩＤとに基づいて、管理サーバ２０に対して採点結果の有無を問合わせる。同一の楽曲について他の参加者の採点結果が保存されていない場合（Ｓ１０４：ＮＯ）、制御部１１はＳ１１６に進む。一方、同一の楽曲について他の参加者の採点結果が保存されている場合（Ｓ１０４：ＹＥＳ）、制御部１１はＳ１０６に進む。
【００３１】
Ｓ１０６では、制御部１１は、Ｓ１００の分析採点に係る楽曲について、他の参加者の採点結果を管理サーバ２０から取得する。次のＳ１０８では、制御部１１は、歌唱者の採点結果と、Ｓ１０６で取得した他のユーザの採点結果のうちの１つを対象に、個々の評価項目（リズム、音程、テクニック、安定感、熱唱度）ごとにそれぞれの点数を比較する。
【００３２】
Ｓ１１０では、制御部１１は、Ｓ１０８における比較結果に基づいて、評価項目ごとの点数の優劣に応じて処理を分岐する。Ｓ１１０において、全ての評価項目で歌唱者の採点結果が勝っている場合（Ｓ１１０：全勝）、制御部１１はＳ１１２に進む。Ｓ１１２では、制御部１１は、全ての評価項目について、歌唱者の採点結果と比較相手の参加者の採点結果とを評価項目ごとに比較可能な態様に並べた採点結果画像を作成し、ディスプレイ１６に表示させる。
【００３３】
ここで、Ｓ１１２における採点結果画像の表示例について、図３（ａ）を参照しながら説明する。図３（ａ）に例示されるとおり、採点結果画像３０ａには、上段に歌唱者の採点結果を配置する欄が設けられており、その下側に比較相手の参加者の採点結果を配置する欄が設けられている。制御部１１は、それぞれの採点結果の欄に、左からリズム、音程、テクニック、安定感、熱唱度の順に、全ての評価項目の得点を横一列に並べて配置する。このように配置することにより、上下の得点を見比べることで評価項目ごとに歌唱者の採点結果と比較相手の採点結果とを比較できるようになっている。
【００３４】
図２のフローチャートの説明に戻る。Ｓ１１０において、歌唱者の採点結果が勝っている評価項目と、歌唱者の採点結果が負けている評価項目とが混在する場合（Ｓ１１０：一部負け）、制御部１１はＳ１１４に進む。Ｓ１１４では、制御部１１は、全ての評価項目のうち歌唱者の採点結果が勝っている評価項目のみ、歌唱者の採点結果と比較相手の参加者の採点結果とを評価項目ごとに比較可能な態様に並べた採点画像を作成し、ディスプレイ１６に表示させる。この場合、歌唱者の採点結果が負けている評価項目については、歌唱者の採点結果及び比較相手の採点結果のどちらも表示しない。
【００３５】
ここで、Ｓ１１４における採点結果画像の表示例について、図３（ｂ）を参照しながら説明する。ここでは、全ての評価項目（リズム、音程、テクニック、安定感、熱唱度）のうち、テクニックの評価項目のみ歌唱者の採点結果が比較相手に負けた状況を想定している。図３（ｂ）に例示されるとおり、採点結果画像３０ｂには、上段に歌唱者の採点結果を配置する欄が設けられており、下段に比較相手の参加者の採点結果を配置する欄が設けられている。制御部１１は、それぞれの採点結果の欄に、全ての評価項目のうちテクニックを除く評価項目について、左からリズム、音程、安定感、熱唱度の順に得点を横一列に並べて配置する。
【００３６】
なお、採点結果画像３０ｂでは、テクニックの評価項目に対応する点数を表示しないため、制御部１１は、テクニックの評価項目に対応する点数が配置されるはずであったスペースを空けずに、次の安定感及び熱唱度の評価項目に対応する点数を、左詰めにして配置する（破線部３０ｂ１参照）。このようにすることで、歌唱者が勝った評価項目についてのみ、上下の得点を見比べることで歌唱者の採点結果と比較相手の採点結果とを比較できるようになっている。また、表示されない評価項目に対応するスペースを詰めて後の評価項目を表示させることで、一部の評価項目の表示が抜かれていることに気付かれないようにできる。
【００３７】
図２のフローチャートの説明に戻る。Ｓ１１０において、全ての評価項目で歌唱者の採点結果が負けている場合（Ｓ１１０：全敗）、制御部１１はＳ１１６に進む。Ｓ１１６では、制御部１１は、全ての評価項目について歌唱者の採点結果だけを配置した採点結果画像を作成し、ディスプレイ１６に表示させる。
【００３８】
ここで、Ｓ１１６における採点結果画像の表示例について、図３（ｃ）を参照しながら説明する。ここでは、全ての評価項目（リズム、音程、テクニック、安定感、熱唱度）において、歌唱者の採点結果が比較相手に負けた状況を想定している。この場合、図３（ｃ）に例示されるとおり、採点結果画像３０ｃには、歌唱者の採点結果を配置する欄のみが設けられている。比較相手の欄（比較相手となる参加者の名称やＩＤ、及びその採点結果）は設けられない（破線部３０ｃ１参照）。制御部１１は、歌唱者の採点結果の欄に、左からリズム、音程、テクニック、安定感、熱唱度の順に、全ての評価項目の得点を横一列に並べて配置する。このようにすることにより、歌唱者の採点結果が比較相手より劣っている状態を、他の参加者が見られないようになっている。つまり、比較相手の欄そのものが表示されないため、そもそも、歌唱者が比較相手となる他の参加者よりも劣っている状態自体を気付かれることもない。
【００３９】
［効果］
実施形態のカラオケシステム１によれば、次の効果を奏する。
歌唱者の採点結果が比較相手の採点結果よりも優れる評価項目については、歌唱者の採点結果と比較相手の採点結果とを比較可能な態様で一緒に表示できる。一方、歌唱者による歌唱の採点結果が比較相手の採点結果よりも劣る評価項目については、歌唱者及び比較相手のどちらの採点結果も表示させないようにできる。また、全ての評価項目において歌唱者の採点結果が比較相手より劣る場合、歌唱者の採点結果だけを表示させることができる。
【００４０】
このようにすることで、歌唱者の採点結果が比較相手の採点結果よりも低く表示される状態を他の参加者に見られることがなく、歌唱者が恥ずかしい思いをしなくて済むように配慮した表示を実現できる。
【００４１】
［変形例］
上述の実施形態では、管理サーバ２０に採点結果を蓄積するための採点データベースが設けられている事例について説明した。これに限らず、カラオケ装置１０の記憶部１３に採点データベースが設けられていてもよい。この場合、カラオケ装置１０は、精密採点により得られた歌唱者の採点結果を、自カラオケ装置１０の記憶部１３に設けられた採点データベースに保存する。そして、カラオケ装置１０は、歌唱者の採点結果に対する比較対象となる採点結果を、記憶部１３の採点データベースから取得する。
【００４２】
［特許請求の範囲に記載の構成との対応］
実施形態の各構成と、特許請求の範囲に記載の構成との対応は次のとおりである。
記憶部２３が、記憶手段に相当する。図２のＳ１００（制御部１１）が、評価手段に相当する。図２のＳ１０６（制御部１１）が、取得手段に相当する。図２のＳ１０８（制御部１１）が、比較手段に相当する。図２のＳ１１２，Ｓ１１４，Ｓ１１６（制御部１１）が、表示制御手段に相当する。
【符号の説明】
【００４３】
１…カラオケシステム、１０…カラオケ装置、１１…制御部、１２…通信インタフェース部、１３…記憶部、１４…操作部、１５…音声入出力部、１６…ディスプレイ、１７…マイク、１８…スピーカ、２０…管理サーバ、２１…制御部、２２…通信インタフェース部、２３…記憶部、１００…ネットワーク。
【図１】
0006274063.tif 000002
【図２】
0006274063.tif 000003
【図３】
0006274063.tif 000004